(57)【要約】【課題】火災発生時に近隣住戸から音声メッセージを報知出力させる集合住宅管理通話システムにおいて、住宅情報盤から実火災を確定する火災発生信号を受信したときに、音声メッセージ専用の信号線を別に設けることなく、警報監視盤からの適切な音声メッセージを近隣住戸に伝えることができるようにする。【解決手段】警報監視盤５がいずれかの住宅情報盤から火災感知信号を受信したときには、該警報監視盤５から、近隣住戸に設置された住宅情報盤１に、火災報知のための音声メッセージを、通話信号線を介して送出して、近隣住戸の住宅情報盤に一旦録音させておき、その後、該警報監視盤５が、さらに火災感知信号を発信した住宅情報盤１から火災発生信号を受信したときには、近隣住戸の住宅情報盤１に録音されている音声メッセージを出力させる構成にしている。【選択図】図１
2005210168.tif 000002
【特許請求の範囲】
【請求項１】
少なくとも、管理人室などに設置された警報監視盤と、各住戸に設置され、火災感知器を接続した住宅情報盤とを少なくとも通話信号線で接続して構成された集合住宅管理通話システムにおいて、
上記警報監視盤が、いずれかの住宅情報盤から火災感知信号を受信したときには、該警報監視盤から、近隣住戸に設置された住宅情報盤に、火災報知のための音声メッセージを、上記通話信号線を介して送出して、上記近隣住戸の住宅情報盤に一旦録音させておき、その後、該警報監視盤が、さらに火災感知信号を発信した上記住宅情報盤から火災発生信号を受信したときには、上記近隣住戸の住宅情報盤に録音されている音声メッセージを出力させる構成にしている、集合住宅管理通話システム。
【発明の詳細な説明】
【技術分野】
【０００１】
本発明は、火災発生時に近隣住戸に対して自動的に火災報知を行うことが可能な集合住宅管理通話システムの改良に関する。
【背景技術】
【０００２】
近時、集合住宅などにおいては、集合住宅管理通話システムが採用されている。このシステムは、管理人室などに設置された警報監視盤と、各住戸に設置された住宅情報盤と、共同玄関などに設置されたロビーインターホンとが信号線で接続されて構成されている。
また、各住戸の住宅情報盤にさらに火災感知器を接続して、この火災感知器が発報し、火災が確定したときには、警報監視盤を介して、近隣住戸に対して自動的に火災報知を行うことを可能とした集合住宅管理通話システムも知られている。
次の特許文献１には、通話線とは別に音声警報線を設けて、この音声警報線を使って火災時の音声メッセージを近隣住戸の住宅情報盤に伝送するようにしたシステムが開示されている。
【特許文献１】特開平１０−３０２１８３号公報
【発明の開示】
【発明が解決しようとする課題】
【０００３】
ところで、音声警報線を持たない集合住宅管理通話システムでは、通話線を介してメッセージを送受しようとすると、メッセージが火災発生時の通話路をふさいでしまうため、メッセージを通話線を介して出力させることはせず、住宅情報盤自身が火災発生時に警報監視盤から送信されてくる火災発生信号にもとづいて、予め定められたメッセージを出力するようにしている。
したがって、近隣の住宅情報盤は特定の固定メッセージ（たとえば、「近隣に火災発生」）しか鳴動できず、そのときの火災の出火場所などを示す詳細なメッセージ（たとえば、「○○○号室で火災発生」）を鳴動させることはできなかった。
また、音声警報線を持たない集合住宅管理通話システムで、出火場所を示すメッセージを近隣住戸の住宅情報盤から出力させようとするには、上記のような音声警報線を新たに配線接続しなければならず、そのための手間、費用などの負担は大きかった。
【０００４】
本発明はこのような問題を解決すべく提案されたもので、その目的は、火災発生時に近隣住戸から音声メッセージを報知出力させる集合住宅管理通話システムにおいて、システム内の住戸の住宅情報盤から実火災を確定する火災発生信号を受信したときに、音声メッセージ専用の信号線を別に設けることなく、警報監視盤からの適切な音声メッセージを近隣住戸に伝えることができる集合住宅管理通話システムを提供することにある。
【課題を解決するための手段】
【０００５】
上記目的を達成するために、請求項１に記載の集合住宅管理通話システムは、少なくとも、管理人室などに設置された警報監視盤と、各住戸に設置され、火災感知器を接続した住宅情報盤とを少なくとも通話信号線で接続して構成された集合住宅管理通話システムであって、次の構成となっている。
すなわち、警報監視盤が、いずれかの住宅情報盤から火災感知信号を受信したときには、警報監視盤から、近隣住戸に設置された住宅情報盤に、火災報知のための音声メッセージを、通話信号線を介して送出して、近隣住戸の住宅情報盤に一旦録音させておき、その後、警報監視盤が、さらに火災感知信号を発信した上記住宅情報盤から火災発生信号を受信したときには、上記近隣住戸の住宅情報盤に録音されている音声メッセージを出力させる構成にしている。
【発明の効果】
【０００６】
請求項１に記載の集合住宅管理通話システムは、警報監視盤が、いずれかの住宅情報盤から火災感知信号を受信したときに、予め通報先として特定された近隣住戸の住宅情報盤に火災報知のための音声メッセージを送出して、一旦録音させておき、その後、火災発生信号を受信したときに、それらの住宅情報盤に録音再生信号を送出している。
このように、近隣住戸でメッセージを出力させるために、火災発生が確定する前に住宅情報盤で音声メッセージを録音させる構成になっているので、音声メッセージ専用の信号線を別に設けることなく、警報監視盤からの適切な音声メッセージを近隣住戸に伝えることができる。
【発明を実施するための最良の形態】
【０００７】
以下に、本発明の実施の形態について、添付図面とともに説明する。
【実施例１】
【０００８】
図２は、本発明システムの概略基本構成の一例を示している。
このシステムは、各住戸に設置した住宅情報盤１と、共同玄関に設置したロビーインターホン４と、管理人室に設置した警報監視盤５とを含んで構成されている。また、集合住宅の適所には映像制御盤３が設置されている。
住宅情報盤１の各々は、制御線、通話線、映像線などの信号線を束ねた伝送ラインＬ１を通じて映像制御盤３、その住宅情報盤１の設置される住戸の玄関先のドアホン子器６に接続され、映像制御盤３は、映像線で構成された伝送ラインＬ３を通じてロビーインターホン４に接続されるとともに、制御線、通話線を束ねた伝送ラインＬ２を通じて警報監視盤５に接続される。
また、住宅情報盤１の各々には火災感知器２が接続されており、火災感知器２が作動したときには、火災感知信号が制御線Ｌ１、住宅情報盤２、制御線Ｌ２を介して警報監視盤５に伝送される構成となっている。
また、ロビーインターホン４と警報監視盤５とは、先述した、制御線、通話線を束ねた伝送ラインＬ２を通じて相互に接続される。
【０００９】
図３は、本発明システムで用いられる住宅情報盤１の内部構成の一例を示すブロック図である。
この住宅情報盤１は、この住宅情報盤１の各回路を制御する制御手段１ａ、伝送ラインＬ１を通じて各種信号を伝送するための伝送入出力回路１ｂ、火災感知器２の発報を検知する火災検出回路１ｃ、ＩＣカードや録音テープなどで構成されメッセージの録音とスピーカＳＰからの音声再生を行うメッセージ録音／再生手段１ｄ、警報出力回路１ｅ、火災確定スイッチを含む表示／操作部１ｆを備えている。
【００１０】
図４は、本発明システムで用いられる警報監視盤５の内部構成の一例を示すブロック図である。
この警報監視盤５は、この警報監視盤５の各回路を制御する制御手段５ａ、伝送ラインＬ２を通じて各種信号を伝送するための伝送入出力回路５ｂ、プログラム等で構成され火災発生の近隣住戸に通知すべきメッセージを生成、編集する火災報知メッセージ生成手段５ｃ、表示／操作部５ｄを備えている。
【００１１】
図１は、本発明システムの基本動作を示すフローチャートである。
この実施例では、火災が発生した住宅情報盤１が検出した火災感知信号と、その住宅情報盤１が操作等により生成した火災確定信号とを警報監視盤５に通知するシーケンスにおいて、近隣住戸の住宅情報盤１で出火場所等のメッセージを鳴動させるようにしたものを示している。
【００１２】
まず、住宅情報盤１は火災感知器２が作動したことを検知すると、火災感知信号を警報監視盤５に送信する。警報監視盤５は火災感知信号を受信すると、出火場所を含む火災報知メッセージを生成、編集したのち、メッセージ送信開始信号を近隣住戸の住宅情報盤１に送信する。次に、警報監視盤１は、編集した音声メッセージを通話線に流し、すべてのメッセージを送出し終わると、送信終了信号を送信する。近隣住戸の住宅情報盤１では、送信終了信号を受信するまで、メッセージの録音処理を行う。
なお、近隣の住宅情報盤１に対する録音指令として、メッセージ送信開始信号、送信終了信号を送出しているが、そのような信号によらず、メッセージの受信とともに録音を開始し、メッセージが途切れたら録音を終了するようにしてもよい。
【００１３】
次に、火災発生元の住宅情報盤１が住戸人の火災確定操作により火災を確定させると、火災発生信号を警報監視盤５に送信する。警報監視盤５は火災発生信号を受信すると、その信号を録音再生信号として近隣住戸の住宅情報盤１に送信する。近隣住戸の住宅情報盤１は録音再生信号を受信すると、録音テープ等で構成された記録手段１７からメッセージを再生してメッセージを鳴動させる。
図５〜図８のフローチャートには、上記の火災感知器作動からメッセージ鳴動までの、火災発生元の住宅情報盤１、警報監視盤５、近隣住戸の住宅情報盤１のそれぞれの詳細動作を示している。
【００１４】
図５は、本発明システムで用いられる住宅情報盤１の基本動作を示すフローチャートである。
まず、火災感知器２が発報し、これを検知すると、火災感知信号を警報監視盤５に送信する（１０１、１０２）。その後、火災確定スイッチ操作により、あるいはタイマにより火災が確定すると、火災発生信号を警報監視盤５に送信する（１０３、１０４）。また、取消操作がされたときは、警報を停止させる（１０５、１０６）。
このように、順次発生する火災感知、火災確定の各信号を警報監視盤５に送信することにより、近隣住戸の住宅情報盤１で火災報知メッセージを録音、再生するタイミングを生成することを可能としている。
【００１５】
図６は、本発明システムで用いられる警報監視盤５の基本動作を示すフローチャートである。
警報監視盤５では、火災発生元の住宅情報盤１から火災感知信号を受信すると、出火場所である住戸の部屋番号などと、予め保存された固定メッセージとを合成、編集し、「○○○号室で火災発生」などのメッセージを生成し（２０１〜２０３）、通報先として特定された近隣の住宅情報盤１にメッセージの送信要求を送出し、応答受信があれば、生成したメッセージを通話線に送出し、すべてのメッセージを流し終われば、終了信号を送信する（２０４〜２０６）。
次に、火災感知信号を送信してきた住宅情報盤１から、さらに火災発生信号を受信すると、通報先として特定された近隣の住宅情報盤１に対して、録音再生信号を送信する（２０７、２０８）。
このように、警報監視盤５は、火災発生元である住宅情報盤１から順次送られてくる火災感知信号と火災発生信号により、近隣住戸で報知すべきメッセージの録音指示と録音再生のイベントを生成、通知するようになっている。
【００１６】
図７、図８は、本発明システムで用いられる（近隣住戸の）住宅情報盤１の基本動作を示す概略および詳細フローチャートである。
近隣の住宅情報盤１では、火災感知信号を受信すると火災報知メッセージ記録処理を実行し（３０２、３０３）、火災発生信号を受信すると録音記録したメッセージの出力処理（３０４、３０５）を実行する。図８（ａ）、（ｂ）には、上記各処理の詳細フローチャートを示している。
【００１７】
以上のように、本システムは火災感知信号（第一報）と火災発生信号（第二報）とのタイムラグを利用してメッセージを通信しているので、火災発生タイミングでのトラフィックが軽減、分散され、第二報後の通話が必要なときに、通話路が音声メッセージでふさがれることはない。
また、住宅情報盤１で出力する火災報知メッセージは、警報監視盤５で編集するようにしているので、出火場所を特定するような可変メッセージとすることができ、それにより近隣住戸では詳しい状況を音声報知することができる。さらに、通話用の信号線を利用してメッセージを送受しているので、既存の通話システムに音声警報線等を新たに配線する必要がない。
【図面の簡単な説明】
【００１８】
【図１】本発明システムにおける基本動作を示すフローチャート
【図２】本発明システムにおける概略基本構成を示すブロック図
【図３】本発明システムで用いられる警報監視盤を示すブロック図
【図４】本発明システムで用いられる住宅情報盤を示すブロック図
【図５】本発明システムで用いられる住宅情報盤の基本動作を示すフローチャート
【図６】本発明システムで用いられる警報監視盤の基本動作を示すフローチャート
【図７】本発明システムで用いられる（近隣住戸の）住宅情報盤の基本動作を示す概略フローチャート
【図８】本発明システムで用いられる（近隣住戸の）住宅情報盤の基本動作を示す詳細フローチャート
【符号の説明】
【００１９】
１      住宅情報盤
１ａ      制御手段
１ｃ      火災検出回路
１ｄ      メッセージ録音／再生手段
１ｆ      表示／操作部
２      火災感知器
３      映像制御盤
４      ロビーインターホン
５      警報監視盤
５ａ      制御手段
５ｃ      火災報知メッセージ生成手段
６      ドアホン子器
Ｌ１      通話線を含む伝送ライン１
Ｌ２      伝送ライン２
Ｌ３      伝送ライン３
【図１】
2005210168.tif 000003
【図２】
2005210168.tif 000004
【図３】
2005210168.tif 000005
【図４】
2005210168.tif 000006
【図５】
2005210168.tif 000007
【図６】
2005210168.tif 000008
【図７】
2005210168.tif 000009
【図８】
2005210168.tif 000010